(57)【要約】【課題】戸車部からの発炎を防止すること。【解決手段】下框３４は、当該下框３４の長手方向に沿って延在する下框中空部３４１を備える。下框中空部３４１における下方の壁部３４６には、当該下框中空部３４１と外部とを連通する連通孔が形成されている。戸車部７は、下框中空部３４１の内部に設けられ、一部が連通孔を介して下方に突出する。下框中空部３４１の内部には、下框３４の長手方向に沿って延在し、下框３４を補強する不燃性または難燃性の下框補強材８が設けられている。下框補強材８には、戸車部７に対向する不燃性または難燃性の戸車対向部９が設けられている。【選択図】図２
2018096060.tif 000002
【特許請求の範囲】
【請求項１】
下框に設けられるとともに少なくとも一部が樹脂材料で構成された戸車部により前記下框の長手方向に沿って移動可能とする障子であって、
前記下框は、
当該下框の長手方向に沿って延在する下框中空部を備え、
前記下框中空部における下方の壁部には、
当該下框中空部と外部とを連通する連通孔が形成され、
前記戸車部は、
前記下框中空部の内部に設けられ、一部が前記連通孔を介して下方に突出し、
前記下框中空部の内部には、
前記下框の長手方向に沿って延在し、前記下框を補強する不燃性または難燃性の下框補強材が設けられ、
前記下框補強材には、
前記戸車部に対向する不燃性または難燃性の戸車対向部が設けられている
ことを特徴とする障子。
【請求項２】
前記戸車対向部における前記戸車部に対向する第１面には、
加熱されることで膨張する第１熱膨張性部材が設けられている
ことを特徴とする請求項１に記載の障子。
【請求項３】
前記戸車対向部は、
前記戸車部と見込み方向に対向し、
前記第１熱膨張性部材は、
前記戸車対向部における前記戸車部と前記見込み方向に対向する前記第１面に設けられている
ことを特徴とする請求項２に記載の障子。
【請求項４】
前記戸車部は、
当該障子における戸尻側に設けられ、
前記戸車対向部における前記第１面とは反対側の第２面には、
加熱されることで膨張する第２熱膨張性部材が設けられている
ことを特徴とする請求項３に記載の障子。
【請求項５】
前記戸車対向部は、
前記戸車部と前記下框の長手方向に対向し、
前記第１熱膨張性部材は、
前記戸車対向部における前記戸車部と前記下框の長手方向に対向する前記第１面に設けられている
ことを特徴とする請求項２〜４のいずれか一つに記載の障子。
【請求項６】
請求項１〜５のいずれか一つに記載の障子と、
建物の開口部に取り付けられ、前記障子を移動可能に支持する枠体とを備える
ことを特徴とする建具。
【発明の詳細な説明】
【技術分野】
【０００１】
本発明は、例えば、引違い窓等の建具に用いられる障子、及び当該建具に関する。
【背景技術】
【０００２】
従来、引違い窓等の建具に用いられる障子として、下框に設けられた戸車の転動により、スライド移動可能とする障子が知られている（例えば、特許文献１，２参照）。
特許文献１，２において、障子を構成する下框は、当該下框の長手方向に沿って延在する下框中空部を備える。また、戸車は、下框中空部の内部に設けられるとともに、一部が当該下框中空部から下方に突出する。そして、戸車は、下枠に設けられたレールに当接し、当該レール上で転動することにより、障子をスライド移動させる。
【先行技術文献】
【特許文献】
【０００３】
【特許文献１】特開２００７−１３８６１４号公報
【特許文献２】特開２０１３−８７５６６号公報
【発明の概要】
【発明が解決しようとする課題】
【０００４】
ところで、下枠に設けられたレールを金属材料で構成した場合には、金属同士の接触を避けるため、戸車を樹脂材料で構成することが一般的である。そして、戸車を樹脂材料で構成した場合には、火災等により加熱された場合に、戸車から発炎してしまう虞がある。
【０００５】
本発明は、上記実情に鑑みて、戸車部からの発炎を防止することができる障子、及び建具を提供することを目的とする。
【課題を解決するための手段】
【０００６】
上記目的を達成するため、本発明に係る障子は、下框に設けられるとともに少なくとも一部が樹脂材料で構成された戸車部により前記下框の長手方向に沿って移動可能とする障子であって、前記下框は、当該下框の長手方向に沿って延在する下框中空部を備え、前記下框中空部における下方の壁部には、当該下框中空部と外部とを連通する連通孔が形成され、前記戸車部は、前記下框中空部の内部に設けられ、一部が前記連通孔を介して下方に突出し、前記下框中空部の内部には、前記下框の長手方向に沿って延在し、前記下框を補強する不燃性または難燃性の下框補強材が設けられ、前記下框補強材には、前記戸車部に対向する不燃性または難燃性の戸車対向部が設けられていることを特徴とする。
【０００７】
本発明では、下框中空部の内部には、不燃性または難燃性の下框補強材が設けられている。そして、下框補強材には、戸車部に対向する不燃性または難燃性の戸車対向部が設けられている。このため、戸車部に向かう火炎を遮る遮炎機能を戸車対向部に持たせることができる。
したがって、本発明に係る障子によれば、火災等により加熱された場合であっても、戸車部からの発炎を防止することができる、という効果を奏する。
【０００８】
また、本発明は、上述した障子において、前記戸車対向部における前記戸車部に対向する第１面には、加熱されることで膨張する第１熱膨張性部材が設けられていることを特徴とする。
本発明では、戸車対向部において、戸車部に対向する第１面には、第１熱膨張性部材が設けられている。このため、火災等により加熱されると、第１熱膨張性部材が膨張し、戸車部が当該第１熱膨張性部材にて覆われる。したがって、火災等により加熱された場合であっても、戸車部からの発炎を防止することができる、という効果を好適に実現することができる。
【０００９】
また、本発明は、上述した障子において、前記戸車対向部は、前記戸車部と見込み方向に対向し、前記第１熱膨張性部材は、前記戸車対向部における前記戸車部と前記見込み方向に対向する前記第１面に設けられていることを特徴とする。
本発明によれば、第１熱膨張性部材を上述した第１面に設けているので、火災等により加熱された場合に、第１熱膨張性部材にて戸車部を見込み方向から覆うことができる。
【００１０】
また、例えば、戸車対向部を下框補強材とは別体で構成した場合には、下框の大型化も回避することができる。
具体的に、戸車部と見込み方向に対向するように、下框補強材を下框の長手方向に沿って延在させ、当該下框補強材における戸車部と見込み方向に対向する面に第１熱膨張性部材を設けた場合には、以下の問題が生じてしまう。
すなわち、下框補強材としては、下框の補強を考慮して剛性を高めるために、肉厚を厚くしなければならない。このため、下框補強材を戸車部と見込み方向に対向するように設けた場合には、肉厚の厚い下框補強材が戸車部と見込み方向に並設されるため、下框補強材及び戸車部が収容される下框の見込み方向に沿う寸法が大きくなってしまう。すなわち、下框が大型化してしまう、という問題がある。
これに対して、下框の補強を考慮する必要のない戸車対向部を下框補強材と別体とし、戸車部と見込み方向に対向するように下框補強材に取り付ける。そして、第１熱膨張性部材は、戸車対向部における戸車部と見込み方向に対向する第１面に設けられる。すなわち、肉厚の厚い下框補強材が戸車部と見込み方向に並設する構造ではない。このため、戸車対向部を下框補強材とは別体で構成した場合には、戸車部からの発炎を防止する構造を実現しつつ、下框の大型化も回避することができる。
【００１１】
また、本発明は、上述した障子において、前記戸車部は、当該障子における戸尻側に設けられ、前記戸車対向部における前記第１面とは反対側の第２面には、加熱されることで膨張する第２熱膨張性部材が設けられていることを特徴とする。
本発明では、障子の戸尻側に設けられた戸車部に対向する戸車対向部において、第１面とは反対側の第２面には、第２熱膨張性部材が設けられている。このため、例えば、引違い窓等の建具において、外障子及び内障子の少なくとも一方に本発明の障子を採用し、第２面が他方の障子の戸尻側の部位に対向するように戸車対向部を設ける。このように構成すれば、火災等により加熱された場合には、第２熱膨張性部材が膨張し、召合せ部分（外障子及び内障子における戸尻側の各部位）の下部において、外障子及び内障子の隙間が当該第２熱膨張性部材にて閉塞される。このため、召合せ部分の下部において、外障子及び内障子の隙間を介して、火炎が室内外に貫通することを防止することができる。
【００１２】
また、本発明は、上述した障子において、前記戸車対向部は、前記戸車部と前記下框の長手方向に対向し、前記第１熱膨張性部材は、前記戸車対向部における前記戸車部と前記下框の長手方向に対向する前記第１面に設けられていることを特徴とする。
本発明によれば、第１熱膨張性部材を上述した第１面に設けているので、火災等により加熱された場合に、第１熱膨張性部材にて戸車部を下框の長手方向から覆うことができる。
【００１３】
また、例えば、戸車対向部を下框補強材に一体形成した場合には、以下の効果がある。
具体的に、戸車対向部は、下框補強材に一体形成され、戸車部と下框の長手方向に対向する。そして、第１熱膨張性部材は、戸車対向部における戸車部と下框の長手方向に対向する第１面に設けられている。すなわち、肉厚の厚い下框補強材が戸車部と見込み方向に並設する構造ではない。このため、戸車部からの発炎を防止する構造を実現しつつ、下框の大型化も回避することができる。また、戸車対向部を下框補強材とは別体とした構成と比較して、部品点数を削減し、障子の組立作業を容易に実行することができる。
【００１４】
また、本発明に係る建具は、上述した障子と、建物の開口部に取り付けられ、前記障子を移動可能に支持する枠体とを備えることを特徴とする。
本発明に係る建具は、上述した障子を備えているので、上述した障子と同様の作用及び効果を奏する。
【発明の効果】
【００１５】
本発明に係る障子及び建具によれば、戸車部からの発炎を防止することができる、という効果を奏する。
【図面の簡単な説明】
【００１６】
【図１】図１は、本発明の実施の形態１に係る建具を室内側から見た図である。
【図２】図２は、図１に示した建具の要部拡大縦断面図である。
【図３】図３は、図１及び図２に示した外障子における戸尻側の下部を室内側から見た図である。
【図４】図４は、図１及び図２に示した下框補強材を室内側から見た斜視図である。
【図５】図５は、図１及び図２に示した戸車対向部を室内側から見た斜視図である。
【図６】図６は、図１及び図２に示した内障子における戸尻側の下部を室内側から見た図である。
【図７】図７は、図１及び図２に示した内障子における戸尻側の下部を下方側から見た図である。
【図８】図８は、本発明の実施の形態２に係る建具を構成する下框補強材を室内側から見た斜視図である。
【図９】図９は、図８に示した外障子における戸尻側の下部を室内側から見た図である。
【発明を実施するための形態】
【００１７】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１８】
（実施の形態１）
〔建具の概略構成〕
図１は、本発明の実施の形態１に係る建具１を室内側から見た図である。図２は、建具１の要部拡大縦断面図である。
なお、以下で記載する「見込み方向」は、図２の矢印Ａｒで示すように、建具１の奥行きに沿った方向である。見込み方向に沿った平面については、見込み面と称し、見込み方向に直交する平面については、見付け面と称する場合がある。
建具１は、引違い窓で構成され、枠体２と、外障子３と、内障子４とを備える。
枠体２は、上枠２１、下枠２２、図１中、左側に位置する左縦枠２３、及び図１中、右側に位置する右縦枠２４を四周枠組みすることによって構成され、建物の開口部Ｏｐの縁部に沿うように取り付けられる。
これら各枠部材２１〜２４は、合成樹脂製またはアルミニウム等の金属製の押し出し形材であり、全長に亘って略一様な断面形状を有する。
【００１９】
外障子３は、本発明に係る障子に相当する部分であり、内障子４に対して室外側に位置し、枠体２に対して図１中、左右方向に開閉移動可能に取り付けられている。この外障子３は、面材３１と、框体３２とを備える。
面材３１は、スペーサ３１１を介して一対のガラス板３１２，３１３を互いに間隔を隔てて対面配置した２層の複層ガラスで構成されている。
框体３２は、上框３３、下框３４、戸先框３５、及び召合せ框３６（図３参照）を框組みすることにより構成され、内部で面材３１を保持する。
本実施の形態１では、これら各框部材３３〜３６は、合成樹脂製の押し出し形材であり、全長に亘って略一様な断面形状を有する。
なお、本発明の要部である下框３４の詳細な構成については後述する。
【００２０】
内障子４は、本発明に係る障子に相当する部分であり、枠体２に対して図１中、左右方向に開閉移動可能に取り付けられている。この内障子４は、外障子３における面材３１（スペーサ３１１及び一対のガラス板３１２，３１３を含む）及び框体３２（上框３３、下框３４、戸先框３５、及び召合せ框３６を含む）とそれぞれ同様の面材４１（スペーサ４１１及び一対のガラス板４１２，４１３を含む）及び框体４２（上框４３、下框４４、戸先框４５、及び召合せ框４６を含む）を備える。
なお、本発明の要部である下框４４の詳細な構成については後述する。
【００２１】
上述した外障子３及び内障子４において、戸先框３５が左縦枠２３に当接するとともに、戸先框４５が右縦枠２４に当接した場合には、召合せ框３６，４６が互いに係合する。そして、開口部Ｏｐは、外障子３及び内障子４にて閉塞される。この状態では、召合せ框３６，４６の間は、クレセントＣＲ（図１）によってロック可能である。当該クレセントＣＲによりロックすることにより、外障子３及び内障子４は、開口部Ｏｐを閉塞した状態に保持される。
【００２２】
〔外障子における下框の構成〕
先ず、外障子３における下框３４の構成について、図２を参照しつつ説明する。
下框３４は、下框中空部３４１と、内周側ヒレ部３４２と、一対の外周側ヒレ部３４３とを備える。
下框中空部３４１は、下框３４の長手方向に沿って延在する角筒形状を有する。この下框中空部３４１において、上方側の見込み面の室外側には、下方側に窪む押縁係合溝３４４が形成されている。そして、押縁係合溝３４４には、押縁３４５が取り付けられる。
内周側ヒレ部３４２は、下框中空部３４１において、上方側の見込み面の室内側の縁部から上方側に向けて延在した部分である。
そして、面材３１の下端部は、内周側ヒレ部３４２と押縁３４５と下框中空部３４１における上方側の見込み面とで形成されるＵ字状の溝部に配置された状態で保持される。
一対の外周側ヒレ部３４３は、下框中空部３４１において、下方側の見込み面の室内側及び室外側の各縁部から下方側に向けてそれぞれ延在した部分である。
そして、一対の外周側ヒレ部３４３と下框中空部３４１における下方側の見込み面とで形成されるＵ字状の溝部には、下枠２２に設けられた金属製の一対のレール５，６のうち、室外側に位置するレール５の一部が挿入される。
【００２３】
本実施の形態１では、下框中空部３４１の内部には、一対の戸車部７と、下框補強材８と、一対の戸車対向部９とが設けられている。なお、図２では、説明の便宜上、戸車部７を一点鎖線で図示している。
図３は、外障子３における戸尻側の下部を室内側から見た図である。
一対の戸車部７は、同一の構成を有し、下框中空部３４１において、戸先側及び戸尻側のそれぞれに設けられている。
ここで、下框中空部３４１において、下方側の見込み面を構成する壁部３４６の戸先側及び戸尻側には、当該下框中空部３４１の内外を連通する連通孔（例えば、図７に示す連通孔４４７参照）がそれぞれ形成されている。そして、一対の戸車部７は、下框中空部３４１の内部に配設されるとともに、一部が当該連通孔を介して下方側（一対の外周側ヒレ部３４３の間）にそれぞれ突出する。
【００２４】
そして、一対の戸車部７は、戸車７１と、戸車支持部７２とをそれぞれ備える。
戸車７１は、下枠２２に設けられたレール５に当接し、当該レール５上で転動することにより、外障子３を図１中、左右方向にスライド移動させるローラである。本実施の形態１では、戸車７１は、樹脂材料で構成されている。
戸車支持部７２は、戸車７１を回転可能に支持するとともに、当該戸車７１を下框中空部３４１の内部に取り付ける部材である。この戸車支持部７２は、樹脂材料またはアルミニウム等の金属材料で構成されている。
【００２５】
図４は、下框補強材８を室内側から見た斜視図である。
なお、図３及び図４では、下框補強材８における室内側から見て右側の部位のみを図示しているが、下框補強材８は、左右対称となる形状であり、室内側から見て左側の部位も室内側から見て右側の部位と同様の形状を有している。
下框補強材８は、アルミニウム等の金属材料で構成され、下框３４の長手方向に沿って延在し、下框３４を補強する部材である。この下框補強材８は、基部８１と、第１，第２延在部８２，８３とを備え、断面視Ｕ字形状を有する。
基部８１は、下框３４の全長と略同一の全長を有する板体で構成され、下框中空部３４１における上方側の見込み面を構成する見込み壁部に対向する姿勢で、当該見込み壁部に対して、ネジＳｃ１（図３）により固定され、下框３４を補強する。基部８１が下框中空部３４１に固定された状態では、当該基部８１における長手方向の両端側（戸先側及び戸尻側）は、一対の戸車部７の上方側にそれぞれ位置する（図３）。そして、当該両端側は、Ｌ字状の連結金具８４を介して、戸先框３５及び召合せ框３６の内部に設けられた不燃性または難燃性の補強材（図示略）にそれぞれ連結される。
【００２６】
第１延在部８２は、基部８１の全長よりも短い全長を有する板体で構成され、当該基部８１における室外側の端部において、長手方向の両端側を除いた部分から下方側に屈曲して延在した部分である。この第１延在部８２において、室内側及び室外側に臨む面には、加熱されることで膨張する熱膨張性部材（加熱発泡材）８５が当該第１延在部８２の略全長に亘ってそれぞれ設けられている。
第２延在部８３は、第１延在部８２の全長と同一の全長を有する板体で構成され、当該第１延在部８２における下方側の端部から室内側に屈曲して延在した部分であり、下框中空部３４１における下方側の見込み面を構成する見込み壁部に対向する。
【００２７】
図５は、戸車対向部９を室内側から見た斜視図である。
一対の戸車対向部９は、同一の構成を有し、下框補強材８（第１延在部８２）における長手方向の両端側（戸先側及び戸尻側）にそれぞれ取り付けられ、一対の戸車部７にそれぞれ対向する。そして、一対の戸車対向部９は、取付部９１と、接続部９２と、対向部９３とをそれぞれ備え、断面視Ｚ字形状をそれぞれ有する。
取付部９１は、板体で構成され、各板面が室内側及び室外側にそれぞれ臨む姿勢で、下框補強材８における第１延在部８２の室内側の面に対し、ネジＳｃ２により固定される。
接続部９２は、取付部９１における図５中、右側の端部（戸先側の戸車対向部９では戸先側の端部、戸尻側の戸車対向部９では戸尻側の端部）から室外側に屈曲して延在した部分である。
対向部９３は、接続部９２における室外側の端部から図５中、右側（戸先側の戸車対向部９では戸先側、戸尻側の戸車対向部９では戸尻側）に屈曲して延在した部分であり、戸車部７と見込み方向に対向する。この対向部９３における室内側に臨む（戸車部７に対向する）第１面９４の略全面には、加熱されることで膨張する熱膨張性部材（加熱発泡材）９５が設けられている。この熱膨張性部材９５は、本発明に係る第１熱膨張性部材に相当する。
【００２８】
〔内障子における下框の構成〕
次に、内障子４における下框４４の構成について、図２を参照しつつ説明する。
内障子４における下框４４は、外障子３における下框３４の下框中空部３４１（押縁係合溝３４４、押縁３４５、壁部３４６、及び連通孔を含む）、内周側ヒレ部３４２、及び一対の外周側ヒレ部３４３とそれぞれ同様の下框中空部４４１（押縁係合溝４４４、押縁４４５、壁部４４６、及び連通孔４４７を含む）、内周側ヒレ部４４２、及び一対の外周側ヒレ部４４３を備える。
そして、面材４１の下端部は、内周側ヒレ部４４２と押縁４４５と下框中空部４４１における上方側の見込み面とで形成されるＵ字状の溝部に配置された状態で保持される。また、一対の外周側ヒレ部４４３と下框中空部４４１における下方側の見込み面とで形成されるＵ字状の溝部には、下枠２２に設けられたレール６の一部が挿入される。
本実施の形態１では、下框中空部４４１の内部には、一対の戸車部１０と、下框補強材１１と、一対の戸車対向部１２とが設けられている。なお、図２では、説明の便宜上、戸車部１０を一点鎖線で図示している。
【００２９】
図６は、内障子４における戸尻側の下部を室内側から見た図である。図７は、内障子４における戸尻側の下部を下方側から見た図である。
一対の戸車部１０は、外障子３に設けられた戸車部７の戸車７１及び戸車支持部７２とそれぞれ同様の戸車１０１及び戸車支持部１０２をそれぞれ備える。
これら一対の戸車部１０は、下框中空部４４１において、戸先側及び戸尻側のそれぞれに設けられるとともに、一部が連通孔４４７を介して下方側（一対の外周側ヒレ部４４３の間）にそれぞれ突出する。そして、一対の戸車部１０は、戸車１０１が下枠２２に設けられたレール６上でそれぞれ転動することにより、内障子４を図１中、左右方向にスライド移動させる。
【００３０】
下框補強材１１は、外障子３に設けられた下框補強材８の基部８１、第１延在部８２（熱膨張性部材８５を含む）、及び第２延在部８３とそれぞれ同様の基部１１１、第１延在部１１２（熱膨張性部材１１５を含む）、及び第２延在部１１３を備える。
そして、下框補強材１１は、下框中空部４４１における上方側の見込み面を構成する見込み壁部に対してネジ（図示略）により固定され、下框４４を補強する。基部１１１が下框中空部４４１に固定された状態では、基部１１１における長手方向の両端側（戸先側及び戸尻側）は、一対の戸車部１０の上方側にそれぞれ位置する（図６）。そして、当該両端側は、Ｌ字状の連結金具１１４を介して、戸先框４５及び召合せ框４６の内部に設けられた不燃性または難燃性の補強材（図示略）にそれぞれ連結される。
【００３１】
一対の戸車対向部１２は、外障子３に設けられた戸車対向部９における取付部９１、接続部９２、及び対向部９３（第１面９４及び熱膨張性部材９５を含む）とそれぞれ同様の取付部１２１、接続部１２２、及び対向部１２３（第１面１２４及び熱膨張性部材１２５を含む）をそれぞれ備える。
なお、熱膨張性部材１２５は、本発明に係る第１熱膨張性部材に相当する。
そして、一対の戸車対向部１２（取付部１２１）は、下框補強材１１（第１延在部１１２の室内側の面）における長手方向の両端側（戸先側及び戸尻側）にネジＳｃ４によりそれぞれ取り付けられる。この状態では、各対向部１２３は、一対の戸車部１０と見込み方向にそれぞれ対向する。
ここで、一対の戸車対向部１２のうち、下框補強材１１の戸尻側に取り付けられる戸車対向部１２ａは、戸先側に取り付けられる戸車対向部１２とは異なる形状を有する。具体的に、戸車対向部１２ａにおいて、対向部１２３は、図７に示すように、先端側が基端側に対して、室内側にオフセットした段付き状に形成されている。そして、当該先端側における室外側（第１面１２４とは反対側）の第２面１２６には、加熱されることで膨張する熱膨張性部材（加熱発泡材）１２７が設けられている。この熱膨張性部材１２７は、本発明に係る第２熱膨張性部材に相当する。
【００３２】
以上説明した本実施の形態１に係る建具１によれば、以下の効果を奏する。
本実施の形態１に係る建具１では、下框中空部３４１，４４１の内部には、アルミニウム等の金属製の下框補強材８，１１がそれぞれ設けられている。そして、下框補強材８，１１には、戸車部７，１０に対向するアルミニウム等の金属製の戸車対向部９，１２がそれぞれ設けられている。このため、戸車部７，１０に向かう火炎を遮る遮炎機能を戸車対向部９，１２に持たせることができる。
したがって、本実施の形態１に係る建具１によれば、火炎等により加熱された場合であっても、戸車部７，１０からの発炎を防止することができる、という効果を奏する。
【００３３】
また、本実施の形態１に係る建具１では、戸車対向部９，１２において、戸車部７，１０に対向する第１面９４，１２４には、熱膨張性部材９５，１２５がそれぞれ設けられている。このため、火災等により加熱されると、熱膨張性部材９５，１２５が膨張し、戸車部７，１０が当該熱膨張性部材９５，１２５にてそれぞれ覆われる。したがって、火災等により加熱された場合であっても、戸車部７，１０からの発炎を防止することができる、という効果を好適に実現することができる。また、合成樹脂製の下框３４，４４が火炎により溶融した場合であっても、戸車部７，１０が熱膨張性部材９５，１２５にてそれぞれ覆われる。このため、戸車部７，１０の配設位置に室内外を貫通する貫通口が形成されることを回避することができる。
【００３４】
また、本実施の形態１に係る建具１では、下框３４，４４の補強を考慮する必要のない戸車対向部９，１２を下框補強材８，１１とはそれぞれ別体とし、戸車部７，１０と見込み方向にそれぞれ対向するように下框補強材８，１１にそれぞれ取り付ける。そして、熱膨張性部材９５，１２５は、戸車対向部９，１２における戸車部７，１０と見込み方向にそれぞれ対向する第１面９４，１２４に設けられる。すなわち、肉厚の厚い下框補強材８，１１が戸車部７，１０と見込み方向に並設する構造ではない。このため、戸車部７，１０からの発炎を防止する構造を実現しつつ、下框３４，４４の大型化も回避することができる。
【００３５】
また、本実施の形態１に係る建具１では、内障子４の戸尻側に設けられる戸車対向部１２ａにおいて、室外側の第２面１２６には、熱膨張性部材１２７が設けられている。すなわち、火災等により加熱された場合には、熱膨張性部材１２７が膨張し、召合せ部分（外障子３及び内障子４における戸尻側の各部位）の下部において、外障子３及び内障子４の隙間が当該熱膨張性部材１２７にて閉塞される。このため、召合せ部分の下部において、外障子３及び内障子４の隙間を介して、火炎が室内外に貫通することを防止することができる。
【００３６】
（実施の形態２）
次に、本発明の実施の形態２について説明する。
以下の説明では、実施の形態１と同様の構成には同一符号を付し、その詳細な説明は省略または簡略化する。
図８は、本発明の実施の形態２に係る建具１Ａを構成する下框補強材８Ａを室内側から見た斜視図である。図９は、建具１Ａにおける外障子３の戸尻側の下部を室内側から見た図である。
なお、図８及び図９では、下框補強材８Ａにおける室内側から見て右側の部位のみを図示しているが、下框補強材８Ａは、左右対称となる形状であり、室内側から見て左側の部位も室内側から見て右側の部位と同様の形状を有している。
本実施の形態２に係る建具１Ａでは、上述した実施の形態１で説明した建具１に対して、戸車対向部９，１２が省略されている。また、本実施の形態２に係る建具１Ａでは、上述した実施の形態１で説明した建具１に対して、下框補強材８，１１とは異なる形状の下框補強材８Ａを採用している。
【００３７】
本実施の形態２に係る建具１Ａにおいて、外障子３及び内障子４にそれぞれ設けられる下框補強材８Ａは、同一の形状を有している。このため、以下では、外障子３に設けられた下框補強材８Ａの構成のみを説明する。
下框補強材８Ａには、戸車対向部９，１２の省略に伴い、上述した実施の形態１で説明した下框補強材８に対して、第２延在部８３に一対の戸車対向部８６が設けられている。
一対の戸車対向部８６は、下框補強材８Ａの一部を折り曲げることでそれぞれ形成されている。具体的に、一対の戸車対向部８６は、第２延在部８３における長手方向の両端（戸先側及び戸尻側の各端部）から上方側に屈曲してそれぞれ延在し、一対の戸車部７と下框３４の長手方向にそれぞれ対向する。
そして、一対の戸車対向部８６において、一対の戸車部７にそれぞれ対向する第１面８７には、加熱されることで膨張する熱膨張性部材（加熱発泡材）８８が設けられている。この熱膨張性部材８８は、本発明に係る第１熱膨張性部材に相当する。
【００３８】
以上説明した本実施の形態２に係る建具１Ａによれば、上述した実施の形態１と同様の効果の他、以下の効果を奏する。
本実施の形態２に係る建具１Ａでは、戸車対向部８６は、下框補強材８Ａに一体形成され、戸車部７，１０と下框３４，４４の長手方向にそれぞれ対向する。そして、熱膨張性部材８８は、戸車対向部８６における戸車部７，１０と下框３４，４４の長手方向にそれぞれ対向する第１面８７に設けられている。すなわち、肉厚の厚い下框補強材８Ａが戸車部７，１０と見込み方向に並設する構造ではない。このため、戸車部７，１０からの発炎を防止する構造を実現しつつ、下框３４，４４の大型化も回避することができる。また、戸車対向部を下框補強材とは別体とした構成と比較して、部品点数を削減し、外障子３及び内障子４の組立作業を容易に実行することができる。
【００３９】
（その他の実施の形態）
ここまで、本発明を実施するための形態を説明してきたが、本発明は上述した実施の形態１，２によってのみ限定されるべきものではない。
上述した実施の形態１，２では、本発明に係る障子を引違い窓に採用していたが、これに限らない。例えば、３枚以上の障子が左右方向にスライドする引違い方式の窓や両袖片引き窓や引き分け窓、枠体内の領域が縦骨により区分けされ、区分けされた一方の領域がＦＩＸ窓や壁をなす片引き窓等、各種の建具に本発明の障子を採用しても構わない。
上述した実施の形態１，２において、下框補強材８，８Ａ，１１及び戸車対向部９，１２の材料は、不燃性または難燃性の材料であれば、いずれの材料を採用しても構わない。
上述した実施の形態１，２では、框体３２，４２を樹脂材料で構成していたが、これに限らず、アルミニウム等の金属材料で構成しても構わない。
【００４０】
上述した実施の形態１では、戸車対向部９，１２を下框補強材８，１１とそれぞれ別体で構成していたが、これに限らず、戸車対向部９，１２を下框補強材８，１１にそれぞれ一体形成した構成（下框補強材８，１１に戸車対向部９，１２をそれぞれ設けた構成）を採用しても構わない。
上述した実施の形態２では、戸車対向部８６を下框補強材８Ａに一体形成していたが、これに限らず、戸車対向部８６を下框補強材８Ａとは別体で構成しても構わない。
【符号の説明】
【００４１】
１，１Ａ  建具、２  枠体、３  外障子（障子）、４  内障子（障子）、７，１０  戸車部、８，１１  下框補強材、９，１２，１２ａ，８６  戸車対向部、３４，４４  下框、８７，９４，１２４  第１面、８８，９５，１２５  熱膨張性部材（第１熱膨張性部材）、１２６  第２面、１２７  熱膨張性部材（第２熱膨張性部材）、３４１，４４１  下框中空部、３４６，４４６  壁部、４４７  連通孔、Ｏｐ  開口部
【図１】
2018096060.tif 000003
【図２】
2018096060.tif 000004
【図３】
2018096060.tif 000005
【図４】
2018096060.tif 000006
【図５】
2018096060.tif 000007
【図６】
2018096060.tif 000008
【図７】
2018096060.tif 000009
【図８】
2018096060.tif 000010
【図９】
2018096060.tif 000011